(57)【特許請求の範囲】
【請求項１】
複数の記録媒体に対しデータの読み書きが可能な動画編集装置であって、
リレー記録により、少なくとも第１の記録媒体と第２の記録媒体とに跨って記録されたリレー動画を構成する、第１の記録媒体に記録された第１の動画ファイルと第２の記録媒体に記録された第２の動画ファイルとのうち、前記第１の動画ファイルが分割処理された際に、前記分割処理によって分割された前記第１の動画ファイルの前半部分或いは後半部分を、前記第２の記録媒体に移動させる移動手段と、
前記移動手段によって移動された前記前半部分或いは前記後半部分と、前記第２の動画とを結合する結合手段と、
前記前半部分或いは後半部分と、前記第２の動画ファイルとが結合可能か否かを判断する結合判断手段とを有し、
前記移動手段は、前記結合判断手段の判断の結果、結合処理が可能な場合に、前記前半部分或いは後半部分を、前記第２の記録媒体に移動させることを特徴とする動画編集装置。
【請求項２】
前記前半部分と前記後半部分のうち、前記第２の動画と連続した順序となっている部分を記録するだけの容量が前記第２の記録媒体にあるか否かを判定する容量判定手段を更に有し、
前記移動手段は、前記容量判定手段によって前記容量が前記第２の記録媒体にあると判定された場合に、前記移動を行うことを特徴とする請求項１に記載の動画編集装置。
【請求項３】
前記リレー記録した際に作成されたリレー記録情報を検出する検出手段を更に有し、
前記結合判断手段は、前記検出手段により検出されたリレー記録情報に基づいて前記結合が可能か否かを判断することを特徴とする請求項１に記載の動画編集装置。
【請求項４】
前記リレー記録情報は、複数の記録媒体に跨って記録された一連のコンテンツであるか否かを示す情報を有することを特徴とする請求項３に記載の動画編集装置。
【請求項５】
前記リレー記録情報から、リレー記録された順序を解析する解析手段と、
前記解析手段の解析結果に従って前記リレー記録された動画ファイルの再生処理を開始する再生処理手段とを更に有することを特徴とする請求項３または４に記載の動画編集装置。
【請求項６】
前記分割処理の際に、前記移動を実行させるか否かの問合わせ表示を行う表示制御手段を更に有し、
前記移動手段は、前記表示制御手段が前記問合せ表示を行った上でユーザーから前記移動を実行させる旨の指示を受けつた場合に、前記移動を実行することを特徴とする請求項１〜５の何れか１項に記載の動画編集装置。
【請求項７】
複数の記録媒体に対しデータの読み書きが可能な動画編集装置の制御方法であって、
リレー記録により、少なくとも第１の記録媒体と第２の記録媒体とに跨って記録されたリレー動画を構成する、第１の記録媒体に記録された第１の動画ファイルと第２の記録媒体に記録された第２の動画ファイルとのうち、前記第１の動画ファイルが分割処理された際に、前記分割処理によって分割された前記第１の動画ファイルの前半部分或いは後半部分を、前記第２の記録媒体に移動させる移動ステップと、
前記移動ステップによって移動された前記前半部分或いは前記後半部分と、前記第２の動画とを結合する結合ステップと、
前記前半部分或いは後半部分と、前記第２の動画ファイルとが結合可能か否かを判断する結合判断ステップとを有し、
前記移動ステップは、前記結合判断ステップの判断の結果、結合処理が可能な場合に、前記前半部分或いは後半部分を、前記第２の記録媒体に移動させることを特徴とする動画編集装置の制御方法。
【請求項８】
コンピュータを、請求項１乃至６のいずれか１項に記載された動画編集装置の各手段として機能させるためのプログラム。
【請求項９】
コンピュータを、請求項１乃至６のいずれか１項に記載された動画編集装置の各手段として機能させるためのプログラムを格納したコンピュータが読み取り可能な記憶媒体。
【発明の詳細な説明】
【技術分野】
【０００１】
本発明は動画編集装置及び動画編集装置の制御方法に関し、特に、複数の記憶媒体に跨って記録された一連の動画像ファイルを分割編集する際に用いて好適な技術に関するものである。
【背景技術】
【０００２】
近年、画像を記録および再生／編集する装置として、従来から知られている磁気テープに加え、光ディスクやハードディスクドライブ、フラッシュメモリ等のランダムアクセス可能な記録媒体を使ったデジタルビデオカメラ（以下、ＤＶＣ）が普及している。また、最近の動向として複数の記憶媒体が装着可能な製品が多くなってきている。
【０００３】
これらの機器の特徴として、記録媒体へのランダムアクセスが可能であることが挙げられる。そこで、この特徴を利用して、複数の記憶媒体に対して様々な記録方式を実現させる機能が付加されている。具体的には、一回の記録動作で、複数の記憶媒体を跨いで動画記録を実現するリレー記録機能が挙げられる。
【０００４】
本機能は、記録動作中に記憶媒体を跨ぐ場合、現在記録対象となっている記憶媒体の動画ファイルに対しリレー記録であることを示す識別情報を生成して記録した上で、異なる記憶媒体に切換え記録動作を継続する。そして、記録動作が終了した場合、切換え先の記憶媒体の動画ファイルに対しても同様にリレー記録であることを示す識別情報を生成して記録することで、複数の記憶媒体に跨って記録されたファイルを関連付けることで実現される。
【０００５】
更に、このようなリレー記録されたファイルに対して、複数の記憶媒体に跨って記録されたファイルを結合する技術も提案されている。具体的には、リレーファイルが存在する記憶媒体上で消去操作が実行される際、異なる記憶媒体に記録されたリレーファイルに関連付けられたファイルの容量が消去動作によって確保される空き容量未満であった場合、移動して複数のファイルを結合する。これにより、１つのファイルとしてまとめるものである（特許文献１参照）。
【先行技術文献】
【特許文献】
【０００６】
【特許文献１】特開２００５-１７４３９１号公報
【発明の概要】
【発明が解決しようとする課題】
【０００７】
しかしながら、前述の特許文献１に開示された従来技術では、リレー記録されたファイルに対して分割処理が実行された場合、分割処理された時点で２個のファイルが生成される。更に、分割対象ファイルが存在する記憶媒体と異なる記憶媒体上にもリレー記録に関わるファイルが存在する。このため、３個以上のファイルが一連の記録に関わるコンテンツとして、複数の記憶媒体に存在することになり、ユーザーにとってファイルを管理する上で、煩わしい状況を与える問題が発生する。
本発明は前述の問題点に鑑み、リレー記録されたファイルを分割処理した際に、ファイルの管理が煩雑になるのを防止することを目的とする。
【課題を解決するための手段】
【０００８】
本発明の動画編集装置は、複数の記録媒体に対しデータの読み書きが可能な動画編集装置であって、リレー記録により、少なくとも第１の記録媒体と第２の記録媒体とに跨って記録されたリレー動画を構成する、第１の記録媒体に記録された第１の動画ファイルと第２の記録媒体に記録された第２の動画ファイルとのうち、前記第１の動画ファイルが分割処理された際に、前記分割処理によって分割された前記第１の動画ファイルの前半部分或いは後半部分を、前記第２の記録媒体に移動させる移動手段と、前記移動手段によって移動された前記前半部分或いは前記後半部分と、前記第２の動画とを結合する結合手段と、前記前半部分或いは後半部分と、前記第２の動画ファイルとが結合可能か否かを判断する結合判断手段とを有し、前記移動手段は、前記結合判断手段の判断の結果、結合処理が可能な場合に、前記前半部分或いは後半部分を、前記第２の記録媒体に移動させることを特徴とする。
【発明の効果】
【０００９】
本発明によれば、リレー記録により複数の記憶媒体に跨るファイルに対し、分割後のファイル数を少なくすることが可能となる。
【図面の簡単な説明】
【００１０】
【図１】本発明の実施形態における構成を表すブロック図である。
【図２】本発明の特徴を説明する概念図である。
【図３】本実施形態のリレー記録についての仕様説明図である。
【図４】本実施形態のマウント処理について説明するフローチャートである。
【図５】本実施形態で使用される分割処理についての詳細を示す図である。
【図６】本実施形態で使用される結合処理についての詳細を示す図である。
【図７】ファイルを結合するまでの過程を表したフローチャートである。
【図８】ファイルを結合するまでの過程を表したフローチャートである。
【図９】リレーファイルを結合させる過程で表示される画面を示す図である。
【図１０】分割後半ファイルを結合するまでの過程を表すフローチャートである。
【図１１】分割前半ファイルを結合するまでの過程を表すフローチャートである。
【発明を実施するための形態】
【００１１】
図１に、本発明を適用可能な動画編集装置１００の構成例を示す。本実施形態では動画編集装置１００としてのデジタルビデオカメラの例を説明する。なお、本実施形態では、装着可能な記録媒体数を２個で構成している。
【００１２】
図１において、内部バス１５０に対して主制御部（ＣＰＵ）１０１、メモリ１０２、不揮発性メモリ１０３、画像処理部１０４、表示部１０５、カメラ部１０６、操作入力部１０７、内蔵メモリ１０８などが接続されている。また、第１の記録媒体装着部１０９、第２の記録媒体装着部１１０、第１の装着検出部１１１、第２の装着検出部１１２、第１の外部記録媒体１１３、第２の外部記録媒体１１４などが接続されている。内部バス１５０に接続される各部は、内部バス１５０を介して互いにデータのやりとりを行うことができるようにされている。
【００１３】
メモリ１０２は、例えばＲＡＭ（半導体素子を利用した揮発性のメモリなど）からなる。主制御部１０１は、例えば不揮発性メモリ１０３に格納されるプログラムに従い、メモリ１０２をワークメモリとして用いて、動画編集装置１００の各部を制御する。不揮発性メモリ１０３には、画像データや音声データ、その他のデータ、主制御部１０１が動作するための各種プログラムなどが格納される。不揮発性メモリ１０３は例えばハードディスク（ＨＤ）やＲＯＭなどで構成される。
【００１４】
画像処理部１０４は、主制御部１０１の制御に基づいて、不揮発性メモリ１０３や第１の外部記録媒体１１３や第２の外部記録媒体１１４に格納された画像データに対して各種画像処理を施す。画像処理部１０４が行う画像処理には、Ａ／Ｄ変換処理、Ｄ／Ａ変換処理、画像データの符号化処理、圧縮処理、デコード処理、拡大／縮小処理（リサイズ）、ノイズ低減処理、色変換処理などが含まれる。
【００１５】
画像処理部１０４は、特定の画像処理を施すための専用の回路ブロックで構成してもよい。また、画像処理の種別によっては画像処理部１０４を用いずに主制御部１０１がプログラムに従って画像処理を施すことも可能である。
【００１６】
表示部１０５は、主制御部１０１の制御に基づいて、画像やＧＵＩ(Graphical User Interface)を構成するＧＵＩ画面などを表示する。主制御部１０１は、プログラムに従い表示制御信号を生成し、表示部１０５に表示するための映像信号を生成して表示部１０５に出力するように動画編集装置１００の各部を制御する。
【００１７】
表示部１０５は、出力された映像信号に基づいて映像を表示する。なお、動画編集装置１００自体が備える構成としては、表示部１０５に表示させるための映像信号を出力するためのインターフェースまでとし、表示部１０５は外付けのモニタ（テレビなど）で構成してもよい。カメラ部１０６は、被写体を撮影し、動画編集装置１００で再生及び編集を行う画像データを生成する。
【００１８】
操作入力部１０７は、キーボードなどの文字情報入力デバイスや、マウスやタッチパネルといったポインティングデバイス、ボタン、ダイヤル、ジョイスティック、タッチセンサ、タッチパッドなどを含む、ユーザー操作を受け付けるための入力デバイスである。なお、タッチパネルは、表示部１０５に重ね合わせて平面的に構成され、接触された位置に応じた座標情報が出力されるようにした入力デバイスである。内蔵メモリ１０８は、動画編集装置１００に取り付けられている記録媒体である。
【００１９】
第１の記録媒体装着部１０９は、メモリーカードやＣＤ、ＤＶＤといった第１の外部記録媒体１１３が装着可能とされたことを検出するための第１の装着検出部１１１を有している。そして、主制御部１０１の制御に基づき、装着された第１の外部記録媒体１１３からのデータの読み出しや、当該第１の外部記録媒体１１３に対するデータの書き込みを行う。
【００２０】
第２の記録媒体装着部１１０は、第２の装着検出部１１２を有し、第２の外部記録媒体１１４からのデータの読み出しや、第２の外部記録媒体１１４に対するデータの書き込みを行う。通信Ｉ／Ｆ１１５は、インターネットなどと通信して、ファイルやコマンドなどの各種データの送受信を行うためのインターフェースである。
【００２１】
図２は、本発明の特徴を説明する概念図である。
図２に示すように、本発明は、第１の記録媒体に記録されたリレー動画を構成する一部の動画ファイル（第１の動画ファイル(１)）が分割（動画の途中部分で切って、前後２つにファイルを分ける）された場合に適用される。すなわち、分割してできた後半部分の動画ファイル（動画ファイル(１)-２）を、次のリレーファイル（動画ファイル（２））が記録された第２の記録媒体に容量に余裕があって移動できる場合は第２の記録媒体に移動する。そして、ファイル（２）と順番を保って結合（つなげて一つの動画ファイル（２）´にする）する点に特徴がある。これによって、ただ分割しただけよりファイルの数が減り、ファイルの管理が煩雑になるのを防ぐことが可能になる。
【００２２】
以下に、本発明の好ましい実施の形態を、添付の図面に基づいて詳細に説明する。＜第１の実施形態＞
図３は、本実施形態で使用されるリレー記録についての仕様説明図である。ここでは、一つのコンテンツを三つの記録媒体に記録することが可能な記録装置を用いているとする。ユーザーが記録先として選択している記録媒体を第１の記録媒体（内蔵メモリ１０８）とする。また、第１のリレー記録先として選択している記録媒体を第２の記録媒体（第１の外部記録媒体１１３）、第２のリレー記録先として選択している記録媒体を第３の記録媒体（第２の外部記録媒体１１４）とする。そして、記録媒体（内蔵メモリ１０８、第１の外部記録媒体１１３、第２の外部記録媒体１１４）の残容量は、主制御部１０１が取得した情報に基づいて検知するものとする。
【００２３】
図３（ａ）は、リレー記録時の処理手順を説明するフローチャートである。
まず、ユーザー操作によって記録開始が指示された場合に内蔵メモリ１０８に画像データの記録を開始する（Ｓ３０１）。この際に、主制御部１０１は識別情報作成部及び代表画像作成部の機能を有し、識別情報及び代表画像を作成する（Ｓ３０２）。作成された識別情報と代表画像は、リレー記録情報としてリレー記録情報記録媒体（不揮発性メモリ１０３）へ記録される。
【００２４】
そして、内蔵メモリ１０８への記録を行いながら、内蔵メモリ１０８の記録可能時間が所定の閾値以上であるか否かを判定し（Ｓ３０３）、閾値以上の場合にはユーザー操作によって記録停止が指示されたか否かを判定する（Ｓ３０４）。記録停止が指示された場合には記録を停止し（Ｓ３０５）、本フローチャートによる制御を停止する。
【００２５】
また、Ｓ３０３の判定の結果、内蔵メモリ１０８の記録可能時間が所定の閾値未満の場合には、Ｓ３０６に進み、リレー記録可能な記録媒体が装着されているか判定し、装着されていない場合にはＳ３０５に進んで内蔵メモリ１０８への記録を停止する。一方、リレー記録可能な記録媒体が装着されている場合には、内蔵メモリ１０８への記録を停止するとともに、第１の外部記録媒体１１３への記録を開始する（Ｓ３０７）。この際に、主制御部１０１は識別情報及び代表画像を作成する（Ｓ３０８）。
【００２６】
次に、Ｓ３０９において、第１の外部記録媒体１１３の記録可能時間が所定の閾値以上であるか否かを判定し、閾値以上の場合にはユーザー操作によって記録停止が指示されたか否かを判定する（Ｓ３１０）。記録停止が指示された場合には、Ｓ３０５に進んで記録を停止し、本フローチャートによる制御を停止する。一方、記録停止が指示されていない場合にはＳ３０９に戻って前述した処理を繰り返す。
【００２７】
また、Ｓ３０９の判定の結果、第１の外部記録媒体１１３の記録可能時間が所定の閾値未満の場合にはＳ３０６に進み、リレー記録可能な記録媒体が装着されているか判定する。この判定の結果、装着されていなかった場合にはＳ３０５に進んで記録を停止し、本フローチャートによる制御を停止する。本実施形態においては、前述したように、記録媒体として内蔵メモリ１０８、第１の外部記録媒体１１３及び第２の外部記録媒体１１４を使用するので、Ｓ３０６の判定の結果、Ｓ３０７に進み、前述した動作を行う。そして、第２の外部記録媒体１１４の残量が記録可能時間を示す所定の閾値未満の場合にはＳ３０６に戻り、Ｓ３０６の判定の結果が「ＮＯ」となることにより、Ｓ３０５に進んで第２の外部記録媒体１１４への記録を停止する。
【００２８】
Ｓ３０５において、図３（ｂ）を用いて後述するリレー記録を関連付けるために、記録される情報をシーン管理ファイルに記録する。
図３（ｂ）は、リレー記録を関連付ける為に使用される情報を記したものであり、以下の情報を含む。
・リレーファイルか否か（リレーファイル有効bit）。
・メディアＩＤ（この動画が記録されたメディアと、次または前のリレーファイルが記録されるメディアのＩＤ。分割後のリレーファイルの移動先候補のメディアを探すために使う）。
・カメラのシリアルNo（本体シリアルNo）
・記録日時（各リレーファイルの並び順を整えるために使う）
・リレー動画No（１つのリレー動画にひとつのNo。各リレーファイルが同一のリレー動画のものであるかを識別するために使う。）
・シーン管理ファイル：動画が記録された各記録媒体毎に記録される情報。記録媒体の動画ファイルを管理する情報（この中にリレー記録情報が入る）。
【００２９】
リレー記録が行われる場合、シーン管理ファイル内にリレーが行われていることを記すリレーファイル有効bitを有効とする。更に、本bitが有効であった場合、リレー対象となる２つの記憶媒体が保持するメディアＩＤ（この場合、第１の記録媒体（１）と第２の記録媒体（２）のメディアＩＤ）と本体装置が保持するシリアルＮｏと記録日時情報およびリレー動画Ｎｏを記録する。これにより、複数の記録媒体に跨って記録された一連のファイルであるとする関連付けを可能にする。
【００３０】
このように、複数の記録媒体に対して一つのコンテンツを連続して記録していく。ここでは、記録開始時やリレー記録時にリレー記録情報を作成しているが、例えばリレー記録を行わなかった場合にリレー記録ＩＤの変更等を行うなど、記録中や、記録停止時にリレー記録情報の作成を行ってもよい。ここで、Ｓ３０２およびＳ３０８で作成されるリレー記録情報について図４を用いて説明する。
【００３１】
図４は、本実施形態で使用されるマウント処理について説明するフローチャートである。
まず、Ｓ４０１において、記憶媒体が装着されたか否かを判断する。記憶媒体が装着されていない場合にはＳ４０２に進んでユーザーに記録媒体が装着されていない旨の通知を表示する処理を行い、その後、マウント処理を終了する。また、記憶媒体が装着された場合、ファイルシステムのマウント処理が実行される（Ｓ４０３）。なお、本実施形態で使用されるファイルシステムはＦＡＴ３２であるが、ＦＡＴ１６やＥＸＦＡＴなどもファイルシステムとして扱うことも可能である。
【００３２】
Ｓ４０４において、ＦＡＴマウントが正常終了したか判断する。ＦＡＴマウントが正常終了した場合、Ｓ４０５に進んでスピードクラス管理情報などを取得するＦｉｌｅＳｙｓｔｅｍ情報取得処理を行う。次に、Ｓ４０６に進み、ファイル容量などを取得するメディア情報取得処理を行う。次に、Ｓ４０７に進み、記録媒体上の映像ファイルを管理する規格であるＡＶＣＨＤのマウント処理を行う。
【００３３】
その後、Ｓ４０８において、マウント処理が正常に終了か判定し、正常に終了した場合にはＳ４０９に進んでシーン管理ファイル情報（リレー記録情報）を取得する処理を行う。なお、本実施例ではＡＶＣＨＤマウントを実施している。これらのマウント処理が正常終了しない場合は、記録できない記憶媒体と判断し、Ｓ４０２の警告表示処理のステップにて、ユーザーに記憶媒体の交換を促す警告表示を実施する。
【００３４】
図５は、本実施形態で使用される分割処理についての詳細を示す図である。
本実施形態の分割は、ＧＯＰ単位で分割動作であり、分割点として指定されたＩピクチャーの位置情報から、分割点および分割対象ＧＯＰが含まれるクラスタを記憶媒体から抽出する。そして、この分割点を含むクラスタのみコピーした上で、分割点から前半のストリームファイルと後半のストリームファイルを生成する。なお、コピーされたクラスタについては、映像ストリームデータが記録されていない部分も含まれるため、必要に応じトランケート処理（符号量制御）が施される。更に、分割によりファイルが新たに生成されるため、シーン管理ファイルおよびプレイリストファイルの更新も実施される。
【００３５】
図６は、本実施形態で使用されるファイル結合処理についての詳細を説明する図である。
図６（ａ）〜（ｅ）に示すように、本結合処理は、分割された後、分割対象ファイルが保存された記憶媒体と異なる記憶媒体に分割ファイルの前半、或いは後半がコピーされた場合に実行する。処理内容としては、コピーされた分割ファイルの前半或いは後半のファイルと、既に記憶媒体に存在するリレー記録に関連付けられたファイルをクラスタ単位で結合する。そして、ＦｉｌｅＳｙｓｔｅｍ情報およびシーン管理ファイル、プレイリストファイルを更新することで結合処理が実現される。
【００３６】
図７は、分割処理が実行された場合、分割後半ファイルと、分割対象ファイルが保存された記憶媒体と異なる記憶媒体に存在するリレー記録に関連付けられたファイルを結合するまでの過程を表したフローチャートである。
【００３７】
Ｓ７０１において記憶媒体Ａ上の分割対象ファイルがリレー記録されたファイルか否かを判断し、リレー記録が実施されたファイルであった場合、Ｓ７０２においてリレー記録情報Ｒａを取得する。次に、Ｓ７０３にて記憶媒体Ｂ内のリレー記録情報Ｒｂを取得および検索処理を実施し、リレー記録情報Ｒａに関連付けられたリレーファイルが記憶媒体Ｂ上に存在するか判定する（Ｓ７０４）。存在する場合、記憶媒体上のリレー記録情報Ｒｂを取得（Ｓ７０５）する。
【００３８】
その後、Ｓ７０６にてリレー記録情報Ｒａとリレー記録情報Ｒｂからリレー記録された順序を解析し、解析結果に基いて分割再生処理を開始する（Ｓ７０７）。Ｓ７０７のステップはユーザーが分割点を決定するための再生処理であり、Ｓ７０８にて分割点が決定されたか判定し、決定される間は再生処理を実行する。そして、分割点が決定された場合、Ｓ７０８の分析結果を基に、Ｓ７０９にて記憶媒体Ａのファイルから記憶媒体Ｂのファイルにリレー記録が実施されたか判定する。このようにリレー記録された場合、分割点を基準に分割処理を実行し分割後半部分の容量（CA＿second）を算出する（Ｓ７１０）。
【００３９】
Ｓ７１１では、記憶媒体Ｂの空き容量（TempB）を取得し、その後、Ｓ７１２においてCA＿second ＜TempB か容量判断する。そして、CA＿second ＜TempBであった場合、分割後半ファイルを記憶媒体Ｂに移動できると判断し、ユーザーにファイル移動を実行させるか否かの問い合わせ処理を実行する（Ｓ７１３）。この問い合わせで移動が選択された場合（Ｓ７１４）、Ｓ７１５に進み、CA＿second部分を記憶媒体Ｂにコピーし、記憶媒体Ｂ上のリレーファイルＢの先頭とCA＿secondを結合処理する（Ｓ７１６）。
【００４０】
次に、Ｓ７１７に進み、記憶媒体Ａ上のコピー元となったCA＿second部分を消去する。その後、Ｓ７１８に進み、記憶媒体Ａおよび記憶媒体Ｂのファイル管理情報およびＦｉｌｅＳｙｓｔｅｍ情報を更新し、分割処理を終了させる（Ｓ７１９）。
【００４１】
なお、リレー記録ファイルでなかった場合、リレーファイルであっても関連付けられるファイルが記憶媒体Ｂ上に存在しなかった場合。または、記憶媒体Ｂ上にCA＿second部分をコピーする容量が確保できない場合は、記憶媒体Ａ上での分割処理を実行する。そして、記憶媒体Ａ上のファイル管理情報およびＦｉｌｅＳｙｓｔｅｍ情報を更新するのみにとどめて分割処理を終了させる（Ｓ７２０〜Ｓ７２３）。また、ファイルＢ→ファイルＡの順に記録されてリレー記録が実行されていた場合については、図８を用いて説明する（Ｓ７２４）。
【００４２】
図８は、分割処理が実行された場合、分割前半ファイルと、分割対象ファイルが保存された記憶媒体と異なる記憶媒体に存在するリレー記録に関連付けられたファイルを結合するまでの過程を表したフローチャートである。
【００４３】
まず、Ｓ８０１〜Ｓ８０８までは、図７のＳ７０１〜Ｓ７０８と同じ処理を実行している。
Ｓ８０９においては、記憶媒体Ｂのファイルから記憶媒体Ａのファイルにリレー記録を実施するか判定する。実施する場合、分割点を基準に分割処理を実行し、分割前半部分の容量（CA＿first）を算出する（Ｓ８１０）。
【００４４】
Ｓ８１１では、記憶媒体Ｂの空き容量（TempB）を取得し、次に、Ｓ８１１において、CA＿first ＜TempB であるか判定する。CA＿first ＜TempBであった場合Ｓ８１３に進み、分割前半ファイルを記憶媒体Ｂに移動できると判断しユーザーにファイル移動を実行させるか否かの問い合わせ処理を実行する。この問い合わせで移動が選択された場合（Ｓ８１４）、CA＿first部分を記憶媒体Ｂにコピーする（Ｓ８１５）。
【００４５】
次に、Ｓ８１６において、記憶媒体Ｂ上のリレーファイルＢの終端とCA＿firstを結合処理する。その後、Ｓ８１７において、記憶媒体Ａ上のコピー元となったCA＿first部分を消去する。その後、記憶媒体Ａおよび記憶媒体Ｂのファイル管理情報およびＦｉｌｅＳｙｓｔｅｍ情報を更新し（Ｓ８１８）、分割処理を終了させる（Ｓ８１９）。
【００４６】
なお、リレー記録ファイルでなかった場合、リレーファイルであっても関連付けられるファイルが記憶媒体Ｂ上に存在しなかった場合。または記憶媒体Ｂ上にCA＿first部分をコピーする容量が確保できない場合は、記憶媒体Ａ上での分割処理を実行し、記憶媒体Ａ上のファイル管理情報およびＦｉｌｅＳｙｓｔｅｍ情報を更新するのみにとどめて分割処理を終了させる（Ｓ８２０〜Ｓ８２３）。また、ファイルＡ→ファイルＢの順に記録されてリレー記録が実行されていた場合については、図７のフローに遷移する（Ｓ８２４）。
【００４７】
図９は、分割処理からリレーファイルを結合させるまでの過程で表示される画面の構成例を示したものである。
図９（ａ）で分割のＵＩ上で分割点が決定され、分割後半部分或いは前半部分が記憶媒体Ｂに移動可能および結合可能か否かを判断する。この移動判断及び結合判断の結果、移動および結合が可能な場合、図９（ｂ）のような表示を実施し、ユーザーに選択を促す。その後、図９（ｄ）に示すように、移動および結合処理ができない場合やユーザーが拒否した場合は分割処理の終了表示に遷移させる。
【００４８】
＜第２の実施形態＞
以下に、第２の実施形態を記載する。なお、第２の実施形態において、動画編集装置の構成は前述した図１と同様である。また、リレー記録の機能仕様は図３と同様であり、マウントまでのフローチャートは図４と同様である。さらに、分割処理についての詳細は図５と同様であり、結合処理についての詳細は図６と同様、画面構成例については、第１の実施形態で説明した図９の内容と同一である。
【００４９】
図１０は、分割処理が実行された場合、分割前半ファイルと分割後半ファイルを、分割対象ファイルが保存された記憶媒体と異なる記憶媒体に移動し、リレー記録に関連付けられたファイルと分割後半ファイルを結合するまでの過程を表したフローチャートである。なお、リレー記録情報取得から分割点決定までの処理は図７のＳ７０１〜Ｓ７０８と同様である。
【００５０】
まず、Ｓ１００１にて記憶媒体Ｂのファイルから記憶媒体Ａのファイルにリレー記録が実施されたか判定する。そして、リレー記録が実施された場合、分割点を基準に分割処理を実行し分割前半部分の容量（CA＿first）および分割後半部分の容量（CA＿second）を算出する（Ｓ１００２）。
【００５１】
Ｓ１００３では、記憶媒体Ｂの空き容量（TempB）を取得する。そして、CA＿first＋CA＿second＜TempBであった場合（Ｓ１００４）Ｓ１００５に進む。Ｓ１００５においては、分割前半ファイルと分割後半ファイルの両ファイルを記憶媒体Ｂに移動できると判断しユーザーにファイル移動を実行させるか否かの問い合わせ表示処理を実行する。
【００５２】
この問い合わせの結果をＳ１００６で判定する。そして、記憶媒体Ｂに移動が選択された場合、CA＿first部分とCA＿Second部分を記憶媒体Ｂにコピーし（Ｓ１００７）、記憶媒体Ｂ上のリレーファイルＢの先頭とCA＿secondを結合処理する（Ｓ１００８）。次に、記憶媒体Ａ上のコピー元となったCA＿first部分とCA＿second部分を消去し（Ｓ１００９）、記憶媒体Ａおよび記憶媒体Ｂのファイル管理情報およびＦｉｌｅＳｙｓｔｅｍ情報を更新し（Ｓ１０１０）、分割処理を終了させる（Ｓ１０１１）。
【００５３】
なお、リレー記録ファイルでなかった場合、リレーファイルであっても関連付けられるファイルが記憶媒体Ｂ上に存在しなかった場合。または、記憶媒体Ｂ上にCA＿first部分＋CA＿second部分をコピーする容量が確保できない場合は、記憶媒体Ａ上での分割処理を実行する。そして、記憶媒体Ａ上のファイル管理情報およびＦｉｌｅＳｙｓｔｅｍ情報を更新するのみにとどめて分割処理を終了させる（Ｓ１０１２〜Ｓ１０１５）。また、ファイルB→ファイルAの順に記録されてリレー記録が実行されていた場合については、図１１のフローに遷移する（Ｓ１０１６）。
【００５４】
図１１は、分割処理が実行された場合、分割前半ファイルと分割後半ファイルを、分割対象ファイルが保存された記憶媒体と異なる記憶媒体に移動する。そして、リレー記録に関連付けられたファイルと分割前半ファイルを結合するまでの過程を表したフローチャートである。なお、リレー記録情報取得から分割点決定までの処理は図７のＳ７０１〜Ｓ７０８と同様である。
【００５５】
まず、Ｓ１１０１において、記憶媒体Ｂのファイルから記憶媒体Ａのファイルにリレー記録が実施されたか判定する。このようにリレー記録された場合、分割点を基準に分割処理を実行し、分割前半部分の容量（CA＿first）および分割後半部分の容量（CA＿second）を算出する（Ｓ１１０２）。
【００５６】
Ｓ１１０３では、記憶媒体Ｂの空き容量（TempB）を取得する。CA＿first＋CA＿second ＜TempBであった場合（Ｓ１１０４）、分割前半ファイルと分割後半ファイルの両ファイルを記憶媒体Ｂに移動できると判断しユーザーにファイル移動を実行させるか否かの問い合わせ処理を実行する（Ｓ１１０５）。
【００５７】
この問い合わせ処理の結果をＳ１１０６で判定し、移動が選択された場合はＳ１１０７に進み、CA＿first部分とCA＿second部分を記憶媒体Ｂにコピーする。次に、記憶媒体Ｂ上のリレーファイルＢの終端とCA＿firstを結合処理し（Ｓ１１０８）、記憶媒体Ａ上のコピー元となったCA＿first部分とCA＿second部分を消去する（Ｓ１１０９）。次に、記憶媒体Ａおよび記憶媒体Ｂのファイル管理情報およびＦｉｌｅＳｙｓｔｅｍ情報を更新し（Ｓ１１１０）、分割処理を終了させる（Ｓ１１１１）。
【００５８】
なお、リレー記録ファイルでなかった場合、リレーファイルであっても関連付けられるファイルが記憶媒体Ｂ上に存在しなかった場合。または、記憶媒体Ｂ上にCA＿first部分＋CA＿second部分をコピーする容量が確保できない場合は、記憶媒体Ａ上での分割処理を実行する。そして、記憶媒体Ａ上のファイル管理情報およびＦｉｌｅＳｙｓｔｅｍ情報を更新するのみにとどめて分割処理を終了させる（Ｓ１１１２〜Ｓ１１１５）。また、ファイルＡ→ファイルＢの順に記録されてリレー記録が実行されていた場合については、図１０のフローに遷移する（Ｓ１１１６）。
【００５９】
なお、本実施形態の主制御部１０１の制御は１つのハードウェアが行ってもよいし、複数のハードウェアが処理を分担することで、装置全体の制御を行ってもよい。
また、本発明をその好適な実施形態に基づいて詳述してきたが、本発明はこれら特定の実施形態に限られるものではなく、この発明の要旨を逸脱しない範囲の様々な形態も本発明に含まれる。さらに、前述した各実施形態は本発明の一実施形態を示すものにすぎず、各実施形態を適宜組み合わせることも可能である。また、上述した実施形態においては、本発明をデジタルビデオカメラに適用した場合を例にして説明したが、これはこの例に限定されず、リレー記録された動画を編集可能な装置であれば適用可能である。すなわち、本発明は、パーソナルコンピュータやＰＤＡ、携帯電話端末や携帯型の画像ビューワ、デジタルフォトフレーム、音楽プレーヤー、ゲーム機、電子ブックリーダー、デジタルカメラなどに適用可能である。
【００６０】
（他の実施形態）
本発明は、以下の処理を実行することによっても実現される。即ち、前述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶したコンピュータ読み取り可能な記憶媒体は本発明を構成することになる。
【符号の説明】
【００６１】
１００  動画編集装置、１０１  主制御部、１０２  メモリ、１０３  不揮発性メモリ、１０４  画像処理部、１０５  表示部、１０６  カメラ部、１０７  操作入力部、１０８  内蔵メモリ、１０９  第１の記録媒体装着部、１１０  第２の記録媒体装着部、１５０  内部バス
【図１】
0005697463.tif 000002
【図２】
0005697463.tif 000003
【図３】
0005697463.tif 000004
【図４】
0005697463.tif 000005
【図５】
0005697463.tif 000006
【図６】
0005697463.tif 000007
【図７】
0005697463.tif 000008
【図８】
0005697463.tif 000009
【図９】
0005697463.tif 000010
【図１０】
0005697463.tif 000011
【図１１】
0005697463.tif 000012